(57)【要約】【目的】液面レベル検出スイッチが傾斜状態に置かれた場合に、傾斜の方向によって液面の検出レベルがばらつくのを抑制する。【構成】ケース側に設けられたロッド状のガイドに遊嵌してケース内を上下に移動できるように設けられたフロートと、そのフロートの底面に取り付けられた電極板と、ケース内部の底部に前記ガイドの両側にわたって一対に設けられた端子とからなり、液面の低下にともなって下降するフロート側に設けられた電極板がケース底部に一対に設けられた端子間にまたがって接触することによってその端子間が導通状態になって液面が規定レベル以下になったことを検出する液面レベル検出スイッチにおいて、ケース内部の底面に、一対に設けられた端子の設置方向と所定角度をなす方向に、ガイドに対するフロートのかたよった動きを規制する突起を前記ガイドの両側にわたって一対に設ける。【選択図】      図６
2005257657.tif 000002
【特許請求の範囲】
【請求項１】
ケース側に設けられたロッド状のガイドに遊嵌してケース内を上下に移動できるように設けられたフロートと、そのフロートの底面に取り付けられた電極板と、ケース内部の底部に前記ガイドの両側にわたって一対に設けられた端子とからなり、液面の低下にともなって下降するフロート側に設けられた電極板がケース底部に一対に設けられた端子間にまたがって接触することによってその端子間が導通状態になって液面が規定レベル以下になったことを検出する液面レベル検出スイッチにおいて、ケース内部の底面に、一対に設けられた端子の設置方向と所定角度をなす方向に、ガイドに対するフロートのかたよった動きを規制する突起を前記ガイドの両側にわたって一対に設けたことを特徴とする液面レベル検出スイッチ。
【請求項２】
所定角度が直角であることを特徴とする請求項１に記載された液面レベル検出スイッチ。
【発明の詳細な説明】
【技術分野】
【０００１】  本発明は、液面のレベルが所定以下になったことを電気的に検出する液面レベル検出スイッチに関する。
【背景技術】
【０００２】  一般に、この種の液面レベル検出スイッチは、例えば、携帯用発電機におけるエンジンのオイル溜りに設置されて、オイルの液面が規定レベル以下になったことを検出するのに用いられている。【０００３】  従来、この種の液面レベル検出スイッチとしては、図８に示すように、ケース８１側に設けたガイドロッド８２に周囲の隙間ｓをもってフロート８３を上下に移動できるように遊嵌して、そのフロート８３の底面に電極板８４を設けるとともに、ケース内部の底部にガイドロッド８２の両側に対称となるように端子８５，８６を一対に設けて、ケース８１内に導入されるオイルの液面が低下するにしたがってフロート８３が下降するのに際して、フロート８３側の電極板８４が固定側の一対の端子８５，８６間にまたがって接触することによって、端子８５，８６間が導通状態になって液面が規定レベル以下になったことを検出するようにしている。
【発明の開示】
【発明が解決しようとする課題】
【０００４】  解決しようとする問題点は、携帯用発電機が傾斜地に置かれた状態でエンジンの運転を行う場合、ガイドロッド８２とフロート８３とのあいだに隙間ｓがあるために、図９（端子８５，８６の設置方向に傾斜した場合）および図１０（端子８５，８６の設置方向と直交する方向に傾斜した場合）に示すように、ガイドロッド８２に対してフロート８３が相対的にかたよって動いてしまい、傾斜の方向によって液面の検出レベルがばらついてしまうことである。【０００５】  このときのフロート８３の相対的な動きを抑制するためにはガイドロッド８２とフロート８３との隙間ｓまたはケース８１とフロート８３との側方の隙間を小さくすればよいが、オイル中のスラッジ等の不純物がその隙間に入り込んでフロート８３の動きが悪くなる可能性があるために、あまりその隙間を小さくすることができないという問題がある。
【課題を解決するための手段】
【０００６】  本発明は、ケース側に設けられたロッド状のガイドに遊嵌してケース内を上下に移動できるように設けられたフロートと、そのフロートの底面に取り付けられた電極板と、ケース内部の底部に前記ガイドの両側にわたって一対に設けられた端子とからなり、液面の低下にともなって下降するフロート側に設けられた電極板がケース底部に一対に設けられた端子間にまたがって接触することによってその端子間が導通状態になって液面が規定レベル以下になったことを検出する液面レベル検出スイッチにおいて、傾斜状態に置かれた場合に、傾斜の方向によって液面の検出レベルがばらつくのを抑制する手段を設けるようにしている。【０００７】  具体的には、その手段として、ケース内部の底面に、一対に設けられた端子の設置方向と所定角度をなす方向に、ガイドに対するフロートのかたよった動きを規制する突起を前記ガイドの両側にわたって一対に設けるようにしている。
【発明の効果】
【０００８】  本発明によれば、ケース内部の底面に一対に設けられた端子の設置方向と所定角度をなす方向に傾斜した状態で液面レベル検出スイッチが置かれた場合にあっても、ガイドに対するフロートのかたよった動きがケース内部の底面に設けられた突起によって規制されて、一対の端子の設置方向に傾斜した場合とほぼ同等の位置で液面のレベル検出を行うことができるようになる。
【実施例１】
【０００９】  本発明による液面レベル検出スイッチは、図１および図２に示すように、上部が開放した円筒状の絶縁性の合成樹脂からなるケース１内に、その底部中央から上方に突出形成されたロッド状のガイド２に周囲の隙間ｓをもってフロート３が上下に移動できるように遊嵌されて設けられている。そして、そのフロート３の底面には電極板４が取り付けられているとともに、ケース１内部の底部にガイド２の両側に対称となるように端子５，６が一対に設けられている。また、ケース１の上部にはケースカバー７が装着され、そのケースカバー７に形成された窓８からケース１内にオイルが導入されるようになっている。【００１０】  ケース１の両側には、それをエンジンのオイル溜りなどの部分に取り付けるための取付座９，１０が一体に設けられている。そして、その一方の取付座９には液面レベル検出信号の出力用リード線１２が接続される外部端子１１（内部の端子５から引き出されている）が設けられており、他方の取付座１０にはアースターミナル１３（内部の端子６から引き出されている）が設けられている。【００１１】  このような構成によれば、図３に示すように、ケース１内に導入されるオイルの液面が低下するにしたがってフロート３が下降して、フロート３側の電極板４が固定側の一対の端子５，６間にまたがって接触することによって、端子５，６間が導通状態になって液面が規定レベル以下になったことを検出することができる。【００１２】  ここでは、オイルの液面が規定レベルになったことを確実に検出することができるように、接触部分の酸化を防止するべく、フロート３側の電極板４の表面に金メッキが施されているとともに、固定側の各端子５，６の電極板４との接触部分に金メッキが施されている。【００１３】  このように構成された液面レベル検出スイッチにおいて、特に本発明では、ケース１内部の底面に、一対に設けられた端子５，６の設置方向（Ｘ方向）と所定角度（ここでは９０°）をなす方向（Ｙ方向）に、ガイド２に対するフロート３のかたよった動きを規制する突起１４，１５をガイド２の両側に対称となるように一対に設けるようにしている（図２参照）。【００１４】  この突起１４，１５は、フロート３側の電極板４が固定側の一対の端子５，６間にまたがって接触してスイッチオン状態になるのに支障をきたすことがないように、その高さｄ２が端子５，６の高さｄ１よりも低くなるように設定されている（図６参照）。【００１５】  いま、図３に示すように、液面レベル検出スイッチが平坦に置かれたときにスイッチオン状態になったときのＡ点から液面までの距離Ｄｓが１８ｍｍである場合、図４に示すように、そのスイッチをＸ方向に２０°傾斜させた場合のスイッチオン時における距離Ｄ１が１７．００２ｍｍであった。【００１６】  液面レベル検出スイッチがＸ方向に２０°傾斜したときには、フロート３側の電極板４が固定側の一対の端子５，６間にまたがって接触した状態のままで、隙間ｓの分だけフロート３が一方にかたよることになる。【００１７】  この液面レベル検出スイッチをＹ方向に２０°傾斜させたとき、突起１４，１５がない場合には、図５に示すように、端子５，６が支点となってガイド２に対してフロート３が���対的に傾いてしまい、スイッチオン時における距離Ｄ２が１７．５２１ｍｍであった。【００１８】  このように、突起１４，１５がない場合には、液面レベル検出スイッチがＸ方向に傾斜したときのスイッチオン時における距離Ｄ１と、Ｙ方向に傾斜したときのスイッチオン時における距離Ｄ２とでは大きく異なり、傾斜の方向によって液面の検出レベルがばらついてしまう。【００１９】  それに対して、図６に示すように、端子５，６の高さｄ１が２．５ｍｍであるのに対して、高さｄ２が１．５ｍｍの突起１４，１５を設けた場合には、フロート３の一端が片方の突起１４と当接することによってガイド２に対するフロート３の相対的な傾きが軽減される。この場合のスイッチオン時における距離Ｄ３が１７．２６５ｍｍになり、Ｘ方向に２０°傾斜させた場合のスイッチオン時における距離Ｄ１である１７．００２ｍｍにより近い値を示すようになった。【００２０】  図７は、突起１４，１５の高さｄ２を２．０ｍｍに設定した場合を示している。この場合には、Ｙ方向に２０°傾斜させたときのガイド２に対するフロート３の相対的な傾きがさらに軽減されて、スイッチオン時における距離Ｄ４が１７．１０９ｍｍになり、Ｘ方向に２０°傾斜させた場合のスイッチオン時における距離Ｄ１である１７．００２ｍｍにさらに近い値を示すようになった。【００２１】  また、液面レベル検出スイッチをＸ軸に対して任意の角度（例えば４５°）の方向に傾斜させた場合にあっても同様に、フロート３の一端が何れか片方の突起１４または１５と当接することによってガイド２に対するフロート３の相対的な傾きが軽減されて、液面の検出レベルのばらつきを有効に抑制できるようになる。
【産業上の利用可能性】
【００２２】  本発明によれば、ケース側に設けられたロッド状のガイドに遊嵌して液面の低下にともなって下降するフロート側に設けられた電極板がケース底部に一対に設けられた端子間にまたがって接触することによってその端子間が導通状態になって液面が規定レベル以下になったことを検出する液面レベル検出スイッチにあって、ケース内部の底面に、一対に設けられた端子の設置方向と所定角度をなす方向に、ガイドに対するフロートのかたよった動きを規制する突起を前記ガイドの両側にわたって一対に設けるという手段を講ずることにより、液面レベル検出スイッチが傾斜状態に置かれた場合に、傾斜の方向によって液面の検出レベルがばらつくのを抑制できるようになり、産業上有益となる。
【図面の簡単な説明】
【００２３】
【図１】本発明による液面レベル検出スイッチの一実施例を示す正断面図である。
【図２】その一実施例による液面レベル検出スイッチのケースカバーとフロートとを除いた平面図である。
【図３】その一実施例による液面レベル検出スイッチのスイッチオン状態を示す正断面図である。
【図４】その一実施例による液面レベル検出スイッチをＸ方向に傾斜させた状態を示す正断面図である。
【図５】突起のない液面レベル検出スイッチをＹ方向に傾斜させた状態を示す簡略正断面図である。
【図６】本発明による突起（低め）のある液面レベル検出スイッチをＹ方向に傾斜させた状態を示す簡略正断面図である。
【図７】本発明による突起（高め）のある液面レベル検出スイッチをＹ方向に傾斜させた状態を示す簡略正断面図である。
【図８】従来の液面レベル検出スイッチを示す正断面図である。
【図９】その従来の液面レベル検出スイッチをＸ方向に傾斜させた状態を示す簡略正断面図である。
【図１０】その従来の液面レベル検出スイッチをＹ方向に傾斜させた状態を示す簡略正断面図である。
【符号の説明】
【００２４】１  ケース
２  ガイド
３  フロート
４  電極板
５  端子
６  端子
１４  突起
１５  突起
【図１】
2005257657.tif 000003
【図２】
2005257657.tif 000004
【図３】
2005257657.tif 000005
【図４】
2005257657.tif 000006
【図５】
2005257657.tif 000007
【図６】
2005257657.tif 000008
【図７】
2005257657.tif 000009
【図８】
2005257657.tif 000010
【図９】
2005257657.tif 000011
【図１０】
2005257657.tif 000012